(57)【特許請求の範囲】
【請求項１】
予め用意した配管部材の螺入部に螺合させる雄ネジを、当該配管工事のテスト用プラグ本体の外周面に備えると共に、
当該配管工事のテスト用プラグ本体の内部に外部からボルトを螺合する雌ネジが形成される内ネジ部を備え、
当該配管工事のテスト用プラグにより前記螺入部を螺入封止してコンクリート打ちの後、当該配管工事のテスト用プラグを回転により取り外す回転取外し手段を当該テスト用プラグ本体に備え、
当該配管工事のテスト用プラグの外径に関し、前記内ネジ部の外径となる螺入方向先端部の外径が前記雄ネジの形成された螺入方向後端部側の外径より細く、
前記雌ネジが、螺入方向先端部を貫通しないように前記内ネジ部内に形成され、
螺入方向先端部が封止されていることを特徴とする配管工事のテスト用プラグ。
【請求項２】
請求項１記載の配管工事のテスト用プラグにおいて、
当該配管工事のテスト用プラグの本体外周面に形成した雄ネジの軸方向長さは、前記配管部材の螺入部の長さと同等または同等以下の長さであることを特徴とする配管工事のテスト用プラグ。
【請求項３】
請求項１または請求項２記載の配管工事のテスト用プラグにおいて、
当該配管工事のテスト用プラグは筒状部材から成ることを特徴とする配管工事のテスト用プラグ。
【請求項４】
請求項１または請求項２記載の配管工事のテスト用プラグにおいて、
前記内ネジ部が金属スリーブを含むことを特徴とする配管工事のテスト用プラグ。
【請求項５】
請求項１乃至請求項４の何れか１つに記載の配管工事のテスト用プラグにおいて、
当該配管工事のテスト用プラグの螺入方向後端部に鍔を備えて成ることを特徴とする配管工事のテスト用プラグ。
【請求項６】
請求項５記載の配管工事のテスト用プラグにおいて、
前記鍔の外周部は、螺入方向にテーパを備えて成ることを特徴とする配管工事のテスト用プラグ。
【請求項７】
請求項１乃至請求項６の何れか１つに記載の配管工事のテスト用プラグにおいて、
前記回転取外し手段は、回転取外し工具を挿入する挿入穴を備えて成ることを特徴とする配管工事のテスト用プラグ。
【請求項８】
請求項７記載の配管工事のテスト用プラグにおいて、
前記挿入穴は、六角レンチの挿入穴であることを特徴とする配管工事のテスト用プラグ。
【請求項９】
請求項１乃至請求項８の何れか１つに記載の配管工事のテスト用プラグにおいて、
前記回転取外し手段は、当該配管工事のテスト用プラグの内部に螺設した雌ネジであることを特徴とする配管工事のテスト用プラグ。
【発明の詳細な説明】
【０００１】
【発明の属する技術分野】
本発明は、配管工事のテスト用プラグに関し、特に建物のコンクリート壁等の給水配管工事を行う際に、仮枠と給水配管とを確実に固定してセメントの突き固めを行うことができ、また給水配管に螺入したままでも破壊されることがなく、更に水圧テストを行えるようにした配管工事のテスト用プラグに関する。
【０００２】
【従来の技術】
例えば、建物のコンクリート壁に水栓エルボ等の配管材を埋設する場合がある。この場合は、配管材を板材等の仮枠により固定した状態でコンクリート打ちを行い、所定時間経過後に仮枠を取り外して水漏れのテスト（圧力テスト）を行う必要がある。
【０００３】
従来のコンクリート打ちの場合は、先ず図９（Ａ）に示すように、ベニヤ製の仮枠１０１を組み立てた後、仮枠１０１に予め穿設した穴１０１ａを介して圧力テスト用のテスト用プラグ１０２を配管材１０３のネジ螺入部に螺入して配管材１０３を位置決め・固定し、バイブレータ等により突き固めしながらセメント１０４を流し込む。テスト用プラグ１０２の直径は約３０ｍｍであり、長さが約７５ｍｍである。また、穴１０１ａの直径は大きい個所で約３０ｍｍである。
【０００４】
この位置決め・固定の際にテスト用プラグ１０２が不安定になるのを防止する為に、テスト用プラグ１０２と仮枠１０１との間を補強用の針金１０５により複数箇所で固定する。そして所定時間経過後、セメントが固体化した後、仮枠１０１，テスト用プラグ１０２を取り外す。
次いで、図９（Ｂ）に示すように、配管材１０３のネジ螺入部にテスト用プラグ１０２をしっかり螺入した後、配管材１０３に水圧を加え、給水配管工事が正しく行われたか否かを確認する。１０６はセメントが固体化したコンクリートである。
【０００５】
また、近年の仮枠にはパネコートと呼ばれる合板に合成樹脂をコーティングしたタイプのものがあり、このパネコートを使用するとコンクリート表面が滑らかに仕上がるという特徴があるが、パネコート仮枠材はベニヤ等の板材に比較し高価である。
【０００６】
【発明が解決しようとする課題】
しかしながら、従来のコンクリート壁の給水配管工事では、テスト用プラグで仮枠を介して配管材を固定した場合に、セメントを突き固めしながら仮枠間に流し込むので、テスト用プラグがグラグラして不安定になり、また取り付け工数を要する針金によりテスト用プラグを補強しても、前記不安定さはさほど改善されなかった。
また、セメントの突き固めにより不安定なテスト用プラグと配管材に大きな力が加わってコンクリートと配管材との間にズレが生じ、このズレにより圧力テストの際に水漏れが発見される場合があった。この水漏れが発見された場合には、配管材周辺のコンクリートを部分的に破壊し、再度の配管工事を行う必要があった。
【０００７】
更に、従来工法では仮枠に直径約３０ｍｍという大きな穴を開ける必要があったので、仮枠の再利用ができず、特に高価なパネコート仮枠材の場合には再利用の不可は、問題となっていた。
更にまた、工事の日程によっては、図９（Ｂ）に示したように仮枠を取り外し、外部に突き出したテスト用プラグ１０２を取り付けたままで数日間放置される場合がある。この間には大工仕事等の別の工事が行われるので、例えば木材が外部に突き出したテスト用プラグにぶつかってテスト用プラグ１０２や配管材１０３を破壊してしまうことがあった。
更にまた、テスト用プラグ１０２を取り外したまま数日間放置されることがあり、この場合には配管材１０３の内部に土砂等が浸入することがあった。
【０００８】
そこで本発明の課題は、建物のコンクリート壁等の給水配管工事を行う際に、仮枠と給水配管とを確実に固定してセメントの突き固めを行うことができ、また給水配管に螺入したままでも破壊されることがなく、更に水圧テストを行えるようにした配管工事のテスト用プラグを提供することである。
【０００９】
【課題を解決するための手段】
前記課題を解決するために請求項１の発明は、予め用意した配管部材の螺入部に螺合させる雄ネジを、当該配管工事のテスト用プラグ本体の外周面に備えると共に、当該配管工事のテスト用プラグ本体の内部に外部からボルトを螺合する雌ネジを備え、当該配管工事のテスト用プラグにより前記螺入部を螺入封止してコンクリート打ちの後、当該配管工事のテスト用プラグを回転により取り外す回転取外し手段を当該テスト用プラグ本体に備えたことを特徴とする。
また請求項２の発明は、請求項1記載の配管工事のテスト用プラグにおいて、
当該配管工事のテスト用プラグの本体外周面に形成した雄ネジの軸方向長さは、前記配管部材の螺入部の長さと同等または同等以下の長さであることを特徴とする。
また請求項３の発明は、請求項1または請求項２記載の配管工事のテスト用プラグにおいて、
当該配管工事のテスト用プラグは筒状部材から成り、該筒状部材の螺入方向先端部を封止して成ることを特徴とする。
【００１０】
このようにすれば、例えば図２（Ａ）〜（Ｃ）に示すように、配管材（配管部材）の端部にテスト用プラグを螺入固定し、この状態で固定ボルトにより仮枠に配管材を固定するので、セメント流し込みの際の突き押しにも配管材がズレを起こすことが無く、確実な配管工事を行うことができる。
また、例えば図２（Ｃ）の左上部に示すように、仮枠を取り除き、テスト用プラグを配管材に螺入したままでも外部に突き出しが無く、他の工事などの邪魔になることが無い。
また、例えば図２（Ｃ）示すように、前記テスト用プラグをそのまま用いて圧力テストを行うことができる。
【００１１】
【発明の実施の形態】
以下、本発明の配管工事のテスト用プラグを、図示の実施形態に基づいて説明する。なお、既に説明済みの部分には同一符号を付し、重複説明を省略する。
１．第１の実施形態
図１は本実施形態の左側面図，正面図，断面図である。
図１に示すように、配管工事のテスト用プラグＴＰ１は全体形状が略円筒形をしており、本体部１０と内ネジ部２０とから成る。
本体部１０の直径約７ｍｍの外周面には「雄ネジ」である右ネジ１１を形成し、内周面の左半分には「回転取外し手段」である六角レンチ穴１２を形成し、右半分には固定ボルト４０（後述、図２参照）の螺入用の金属スリーブ１３を固定し、該金属スリーブ１３の内周面には「雌ネジ」である右内ネジ１３ａを形成する。
本体部１０と内ネジ部２０とは一体に形成してあり、材質としてはプラスチック（合成樹脂），鋳物，鉄，真鍮，砲金，亜鉛等が好適である。
【００１２】
次に、図２（Ａ）〜（Ｃ）を参照しつつ、本実施形態のテスト用プラグＴＰ１を使用して行う、配管工事および圧力テストについて説明する。
先ず図２（Ａ）に示すように、配管材１０３の上下のネジ螺入部１０３ａにそれぞれテスト用プラグＴＰ１を、セメントが浸入しないようにしっかり螺入し封止する。この際、テスト用プラグＴＰ１の露出面とネジ螺入部１０３ａの端面とが同一面、または端面からテスト用プラグＴＰ１が凹むようにする。
【００１３】
次いで図２（Ｂ）に示すように、所定位置に固定ボルト４０を挿入する直径約７ｍｍの穴１０１ａを予め穿設した仮枠１０１を所定位置に設置し、テスト用プラグＴＰ１を螺入済みの配管材１０３を、テスト用プラグＴＰ１の中心軸と穴１０１ａの中心とが一致するように配置する。この状態で蝶ネジ４２を予め螺入した固定ボルト４０を、座金４１を介してテスト用プラグＴＰ１の内ネジ部２０の右内ネジ１３ａ（図２参照）にしっかり螺入する。この固定ボルト４０が内ネジ部２０に螺入した状態で蝶ネジ４２を締め付け、仮枠１０１と配管材１０３とをしっかり固定する。この固定状態でセメント１０４をバイブレータ等により突き固めしながら所定量を流し込み、セメントが固定化してコンクリートになるのを待つ。
【００１４】
次いで図２（Ｃ）に示すように、配管材１０３がコンクリート１０６により固定された状態で、固定ボルト４０，座金４１，蝶ネジ４２を取り外し、更に下方の六角レンチ穴１２（図１参照）に六角レンチ（図示省略）を差し込んで回転させ、テスト用プラグＴＰ１のみを配管材１０３から取り外す。
このテスト用プラグＴＰ１を外した配管材１０３の端部から所定圧の水圧を加え、水漏れの有無を確認し、水漏れの無い場合は配管材１０３のコンクリート打ちが完了する。
【００１５】
このように本実施形態のテスト用プラグＴＰ１を使用すれば、セメントの流し込み時の突き固めを、仮枠１０１と配管材１０３とがしっかりした固定した状態で行うことができるので、配管材１０３の水平・垂直を確実に維持することができ、また圧力テストを一種類のテスト用プラグで実施することが可能となる。
また、図２（Ｃ）の左上部に示すように、仮枠を取外した状態であっても、テスト用プラグＴＰ１は外部に突き出すことがないので、他の工事の邪魔になることがない。
更に、従来は長いテスト用プラグ（図９参照）が、他の工事業者等にとって邪魔な場合には取り外されてしまい、配管材内部に土砂等が浸入する場合があったが、本実施形態によればテスト用プラグＴＰ１の長さが短いので、邪魔扱いにより取り外されることが無い。従って、配管材内部に土砂等が浸入することがない。
更にまた、仮枠に設ける固定ボルト挿通用の穴の直径が小さいので（例えば約７ｍｍ）、仮枠の再利用が可能となり、特に高価なパネコートの場合に有効である。
【００１６】
２．参考例１
図３は本発明の参考例１の左側面図，正面図，断面図である。本参考例と第１の実施形態との相違点は、第１の実施形態の内ネジ部２０の右端部が封止されていたのに対し（図１の断面図参照、第１の実施形態を「封止型」と呼ぶ）、本参考例の内ネジ部２０Ａの右端部は開放されている（図３の断面図参照、参考例１を「貫通型」と呼ぶ）。図３に示すように、内ネジ部２０Ａの右端には細長い固定ボルト４０Ａを挿通する貫通穴２１を形成する。この貫通穴２１以外の構成は、第１の実施形態に同一である。
【００１７】
次に、図４を参照しつつ、本参考例のテスト用プラグＴＰ２を使用して行う、配管工事および圧力テストについて説明する。先ず図４（Ａ）に示すように、予め所定位置に固定ボルト４０Ａを挿入する穴１０１ａを穿設した仮枠１０１を所定位置に設置し、テスト用プラグＴＰ２を螺入済みの配管材１０３Ａを配置する。この状態で蝶ネジ４２を予め螺入した固定ボルト４０Ａを、座金４１を介して左側のテスト用プラグＴＰ２の内ネジ部２０Ａ（図３参照）に螺入し、更に右側のテスト用プラグＴＰ２の内ネジ部２０に螺入する。この固定ボルト４０Ａが左右の内ネジ部２０に螺入した状態で左側の蝶ネジ４２を締め付け、更に右側の蝶ネジ４２を締め付けて仮枠１０１と配管材１０３Ａとをしっかり固定する。
【００１８】
この固定状態でセメント１０４を突き固めしながら所定量を流し込み、セメントが固定化してコンクリートになるのを待つ。
次いで図４（Ｂ）に示すように、配管材１０３Ａがコンクリート１０６により固定された状態で、固定ボルト４０Ａ，座金４１，蝶ネジ４２を取り外し、更に仮枠１０１を取り外す。
更に図４（Ｃ）に示すように、左右のテスト用プラグＴＰ２を取り外し、左側に封止型のテスト用プラグＴＰ１を螺入し、配管材１０３Ａの左端部を封止する。
そして、貫通型のテスト用プラグＴＰ２を外した配管材１０３Ａの右端部から所定圧力の水圧を加え、水漏れの有無を確認し、水漏れの無い場合は配管材１０３Ａのコンクリート打ちが完了する。
【００１９】
このように本参考例のテスト用プラグＴＰ２を使用すれば、前記第１の実施形態の効果に加えて、仮枠１０１と配管材１０３Ａとを一本の固定ボルト４０Ａのみで、しっかりと固定することができる。
【００２０】
第１の実施形態の変形例
図５に、封止型のテスト用プラグＴＰ１の変形例を示す。
図５（Ａ）は鍔部３０を設け、該鍔部３０の周側面には本体部１０に向かって下がる方向にテーパ３１を形成する。該テーパ３１によりコンクリート打ち終了後、テスト用プラグＴＰ１を回転して取り外す工事が容易となる。
図５（Ｂ）は鍔無しで且つ半径の異なる２段の部分の外周面にネジを形成したテスト用プラグＴＰ１ｂである。太い部分は右ネジであり、細い部分は左ネジである。
図５（Ｃ）は鍔付きの鍔側に内ネジ部を突き出したテスト用プラグＴＰ１ｃである。
図５（Ｄ）は鍔無しのテスト用プラグＴＰ１ｄである。
図５（Ｅ）は左右両方に内部ネジを設けたテスト用プラグＴＰ１ｅである。
【００２１】
（４）参考例１の変形例
図６に貫通型のテスト用プラグＴＰ２の変形例を示す。図６（Ａ）はテーパを形成した鍔を備えたテスト用プラグＴＰ２ａである。本例によれば、コンクリート打ち完了後、テーパがあるのでテスト用プラグＴＰ２ａの取外しが容易に行える。図６（Ｂ）は鍔無しのテスト用プラグＴＰ２ｂである。本例によればテスト用プラグＴＰ２ｂに左右の方向性がないので、作業員が方向性を気にする必要が無い。図６（Ｃ）は鍔付き且つ半径の異なる内ネジ部を形成したテスト用プラグＴＰ２ｃである。この場合、左右の内ネジ部では右側に右ネジを形成し、左側に左ネジを形成する。図６（Ｄ）はテーパ付きの鍔部を備えたテスト用プラグＴＰ２ｄである。図６（Ｅ）は鍔付きの鍔側に内ネジ部を突き出したテスト用プラグＴＰ２ｅである。
【００２２】
なお、前記第１の実施形態および参考例１において、内部ネジの個所が細いタイプ（図７（Ａ））と同一太さのタイプ（図７（Ｂ））のものを示した。このように２つのタイプのものを用意した理由は次の通りである。即ち、図７（Ｃ）に示す配管材１０３Ｂのように、管の内径が途中から細くなり、図７（Ｂ）に示したタイプの配管工事のテスト用プラグが使用できない場合がある。このような場合には、図７（Ａ）の内部ネジの個所が細い配管工事のテスト用プラグを使用する。また、図７（Ｄ）に示した螺入部の十分にある配管材１０３Ｃの場合には、図７（Ａ）または図７（Ｂ）の両方のタイプが使用可能であるのは勿論である。
【００２３】
（５）回転取外し手段の変形例
第１の実施形態および参考例１では、配管工事のテスト用プラグを回転により取り外す回転取外し手段として六角レンチ穴の場合を説明した（図１，図３参照）。本変形例は各種の回転取外し手段である。図８（Ａ）は鍔部３０に一文字切込み５１を形成した場合である。この場合は螺入および取り外しの際に、例えば10円玉等の硬貨を使用できる。図８（Ｂ）は鍔部３０に十文字切込み５２を形成した場合である。この場合も螺入および取り外しの際に、例えば10円玉等の硬貨を使用できる。図８（Ｃ）は２つの掛止穴５３を形成した場合である。この場合は螺入および取り外しの際に一文字ハンドルを用いる。図８（Ｄ）は鍔部３０に左ネジを螺設した場合である。この場合は螺入および取り外しの際に左ネジを形成したドライバを使用する。
【００２４】
（６）参考例２
図１０（Ａ）に本参考例のＬ型継ぎ手ＪＬの断面図を示す。円筒状のＬ型継ぎ手ＪＬは、開口部に雌ネジ６２を形成した一方の管部６３の中心軸の延長線上の角部に、受けネジ部６０を突設形成してなる。受けネジ部６０の内面に、前記管部６３の中心軸に一致するような、中心軸を有する雌ネジ６１を形成する。６４は他方の管部である。
【００２５】
次に図１１（Ａ）〜（Ｃ）を参照しつつ、本参考例のＬ型継ぎ手ＪＬを使用して行う、配管工事および圧力テストについて説明する。先ず図１１（Ａ）に示すように、配管材１０３の上下にそれぞれＬ型継ぎ手ＪＬの他方の管部６４を、固定する。次いで図１１（Ｂ）に示すように、所定位置に固定ボルト４０を挿入する直径約７ｍｍの穴１０１ａを予め穿設した仮枠１０１を所定位置に設置し、Ｌ型継ぎ手ＪＬを固定済みの配管材１０３を、Ｌ型継ぎ手ＪＬの中心軸と穴１０１ａの中心とが一致するように配置する。この状態で蝶ネジ４２を予め螺入した固定ボルト４０を、座金４１を介してＬ型継ぎ手ＪＬの受けネジ部６０の雌ネジ６１（図１０（Ａ）参照）にしっかり螺入する。この固定ボルト４０が受けネジ部６０に螺入した状態で蝶ネジ４２を締め付け、仮枠１０１と配管材１０３とをしっかり固定する。この固定状態でセメント１０４をバイブレータ等により突き固めしながら所定量を流し込み、セメントが固体化してコンクリートになるのを待つ。
【００２６】
次いで図１１（Ｃ）に示すように、配管材１０３がコンクリート１０６により固定された状態で、上下の固定ボルト４０，座金４１，蝶ネジ４２を取り外し、更に上方のＬ型継ぎ手ＪＬの雌ネジ６２にテスト用プラグＴＰ１を螺入し、しっかり固定する。
そして下方のＬ型継ぎ手ＪＬの端部から所定圧の水圧を加え、水漏れの有無を確認し、水漏れの無い場合は配管材１０３のコンクリート打ちが完了する。
【００２７】
このように本参考例のＬ型継ぎ手ＪＬを使用すれば、セメントの流し込み時の突き固めを、仮枠１０１と配管材１０３とがしっかりした固定した状態で行うことができるので、配管材１０３の水平・垂直を確実に維持することができる。また、図１１（Ｃ）の左上部に示すように、仮枠を取外した状態であっても、外部に突き出すことがないので、他の工事の邪魔になることがない。更に、上下のＬ型継ぎ手ＪＬの開口部のそれぞれを、テスト用プラグＴＰ１で封止しておけば、配管材内部に土砂等が浸入することがない。更にまた、仮枠に設ける固定ボルト挿通用の穴の直径が小さいので（例えば約７ｍｍ）、仮枠の再利用が可能となり、特に高価なパネコートの場合に有効である。
【００２８】
（７）参考例３
図１０（Ｂ）に本参考例のＴ型継ぎ手ＪＴの断面図を示す。Ｔ型継ぎ手ＪＴは、開口部に雌ネジ７２を形成した第１の管部７３の中心軸の延長線上の突き当たり部に、受けネジ部７０を突設形成してなる。受けネジ部７０の内面に、前記第１の管部７３の中心軸に一致するような、中心軸を有する雌ネジ７１を形成する。７４は第２の管部、７５は第３の管部である。このように構成したＴ型継ぎ手ＪＴを使用して配管工事および圧力テストを行う場合も、前記参考例２で説明した方法と同様の方法で、実施することが可能である。
【００２９】
なお、前記参考例２、３では、管部の開口部に雌ネジを形成した場合を説明したが、管部の開口部に雌ネジを形成しない場合にも、本発明を適用可能であるのは勿論である。この雌ネジを形成しない場合は、図１１（Ａ）で示した配管材１０３とＬ型継ぎ手ＪＬとの固定には、例えば接着剤を使用すればよい。また、前記参考例では給水配管工事の場合を説明したが、石油等のプラントの配管工事やガスの配管工事の場合にも、本発明を適用可能であるのは勿論である。
【００３０】
【発明の効果】
以上説明したように本発明によれば、以下の効果を発揮することができる。
本発明によれば、例えば図２（Ａ）〜（Ｃ）に示すように、配管材の端部にテスト用プラグを螺入固定し、この状態で固定ボルトにより仮枠に配管材を固定するので、セメント流し込みの際の突き押しにも配管材がズレを起こすことが無く、確実な配管工事を行うことができる。
また、例えば図２（Ｃ）の左上部に示すように、仮枠を取り除き、テスト用プラグを配管材に螺入したままでも外部に突き出しが無く、他の工事などの邪魔になることが無い。
また、例えば図２（Ｃ）示すように、前記テスト用プラグをそのまま用いて圧力テストを行うことができる。
【図面の簡単な説明】
【図１】  本発明の第１の実施形態の三面図である。
【図２】  同第１の実施形態の使用方法を示す図であって、（Ａ）は配管材にテスト用プラグを螺入した図、（Ｂ）は仮枠に配管材を固定しセメントを流し込む図、（Ｃ）は仮枠を取り外し、圧力テストを行う図である。
【図３】  本発明の参考例１の三面図である。
【図４】  同参考例１の使用方法を示す図であって、（Ａ）は固定ボルトで仮枠，配管材を固定しセメントを流し込む図、（Ｂ）は仮枠，固定ボルトを取り外した図、（Ｃ）は封止型のテスト用プラグで封止し圧力テストを行う図である。
【図５】  封止型のテスト用プラグの変形例を示す図である。
【図６】  貫通型のテスト用プラグの変形例を示す図である。
【図７】  配管材の直径に応じて、使用するテスト用プラグのタイプを使い分ける場合を説明する図である。
【図８】  回転取外し手段の変形例を示す図である。
【図９】  従来のテスト用プラグを説明する図であって、（Ａ）はテスト用プラグを補強してセメントの流し込みを行う図、（Ｂ）は圧力テストを行う図である。
【図１０】  （Ａ）は参考例２の断面図、（Ｂ）は参考例３の断面図である。
【図１１】  同参考例２の使用方法を示す図であって、（Ａ）は配管材に配管工事の継ぎ手を固定した図、（Ｂ）は仮枠に継ぎ手固定済みの配管材を固定し、セメントを流し込む図、（Ｃ）は仮枠を取り外し、圧力テストを行う図である。
【図１】
0003698317.tif 000002
【図２】
0003698317.tif 000003
【図３】
0003698317.tif 000004
【図４】
0003698317.tif 000005
【図５】
0003698317.tif 000006
【図６】
0003698317.tif 000007
【図７】
0003698317.tif 000008
【図８】
0003698317.tif 000009
【図９】
0003698317.tif 000010
【図１０】
0003698317.tif 000011
【図１１】
0003698317.tif 000012